(57)【要約】【課題】使用者の嗜好に合わせて簡便に演出態様を変えることができる浴槽を提供することを目的とする。【解決手段】  浴槽本体２と、浴槽本体２の底部２１の上方に配置される発光部品５と、発光部品５の上方に配置され、浴槽本体２の槽内に水平に広がる仕切り４と、を備える。この仕切り４は発光部品５の光を通す透光部材により構成される。また、浴槽本体２の側部２２において、底部２１の周縁部から仕切り４まで延出する部分に、発光部品５の位置を調整するための調整孔３が設けられている。【選択図】図２
2019013594.tif 000002
【特許請求の範囲】
【請求項１】
浴槽本体と、
前記浴槽本体の底部の上方に配置される発光部品と、
前記発光部品の上方に配置され、前記浴槽本体の槽内に水平に広がる仕切りと、を備え、
前記仕切りは前記発光部品の光を通す透光部を含み、
前記浴槽本体の側部において、前記底部の周縁部から前記仕切りまで延出する部分に、前記発光部品の位置を調整するための調整孔が設けられていることを特徴とする浴槽。
【請求項２】
複数の前記調整孔が、前記底部の周縁部から前記仕切りまで延出する部分の周方向に、等間隔で設けられていることを特徴とする請求項１に記載の浴槽。
【請求項３】
前記発光部品は、柔軟な帯状体に設けられた複数の光源を有することを特徴とする請求項１又は請求項２に記載の浴槽。
【発明の詳細な説明】
【技術分野】
【０００１】
本発明は、浴槽に関し、特に使用者の嗜好に合わせて演出態様を変更可能な浴槽に関する。
【背景技術】
【０００２】
浴槽のデザイン効果や演出効果を得るために、浴槽に光源を配置したものがある。この一例として、例えば特許文献１の浴槽が挙げられる。この特許文献１の浴槽では、透明な内張材と外壁材との間に空間を設け、該空間にステンドグラス等の透光性を有するパネルと該パネルの背面に光源とを配置する構成が記載されている。この構成により、使用者は、光源から照射されパネルを透過した光を視認しながら浴槽に浸かることができ、演出効果を得ることができる。
【０００３】
また、特許文献２の浴槽のように、外面側に不透明層を設け内面側に透明層が設けられた浴槽本体に光源である光ファイバーを埋設した浴槽もある。
【先行技術文献】
【特許文献】
【０００４】
【特許文献１】実開昭６２−４８２９２号公報
【特許文献２】実開平０５−５８０９３号公報
【発明の概要】
【発明が解決しようとする課題】
【０００５】
しかしながら、特許文献１の浴槽では、使用者が演出態様を変更したいと考えた場合、内張材と外壁材とを接合する部材を外して浴槽を解体しなければ、パネルやパネル背面に配置した光源の変更が出来ない。そのため、大掛かりな工程が必要となって簡便に演出態様を変更することは出来ない。
【０００６】
また、特許文献２の浴槽では、浴槽本体に光源である光ファイバーを埋設してしまっているので、そもそも演出態様を変更することができない。
【０００７】
上記した課題に鑑み、本発明は、使用者の嗜好に合わせて簡便に演出態様を変更できる浴槽を提供することを目的とする。
【課題を解決するための手段】
【０００８】
上記の目的を達成するため、本発明に係る浴槽は、浴槽本体と、前記浴槽本体の底部の上方に配置される発光部品と、前記発光部品の上方に配置され、前記浴槽本体の槽内に水平に広がる仕切りと、を備え、前記仕切りは前記発光部品の光を通す透光部を含み、前記浴槽本体の側部において、前記底部の周縁部から前記仕切りまで延出する部分に、前記発光部品の位置を調整するための調整孔が設けられていることを特徴とする。
【０００９】
また、複数の前記調整孔が、前記底部の周縁部から前記仕切りまで延出する部分の周方向に、等間隔で設けられていることを特徴とする。
【００１０】
さらに、前記発光部品は、柔軟な帯状体に設けられた複数の光源を有することを特徴とする。
【発明の効果】
【００１１】
本発明に係る浴槽は、浴槽本体の槽内を仕切る仕切りが透光部を含むので、底部に配置された発光部品から発せられる光が透光部を透過することとなる。よって、使用者は発光部品から発する光に照らされた浴槽に浸かることができ、演出効果を得ることができる。そして、調整孔を通じて発光部品の位置を変更すれば、簡便に演出態様を変更することができる。
【図面の簡単な説明】
【００１２】
【図１】本実施形態に係る浴槽の正面図である。
【図２】図１のＡＡ線で切断した断面図である。
【図３】図１のＢＢ線で切断した断面図である。
【図４】本実施形態に係る浴槽の使用形態の一例を示す断面概略図である。
【発明を実施するための形態】
【００１３】
以下、本発明に係る浴槽の実施形態について、図面を参照しながら説明する。
【００１４】
本実施形態における浴槽１は、一般的に浴槽が使用される場所であれば何処でも好適に使用することができるものであって、例えば宿泊施設の浴室や温泉施設等で用いられるものである。図１から図３に示すように、この浴槽１は、陶製の浴槽本体２と、浴槽本体２の底部２１に配置された発光部品５と、発光部品５の上方に設けられ、浴槽本体２の槽内に水平に広がる仕切り４と、を備えており、浴室の床Ｆの上に設置されている。
【００１５】
浴槽本体２は、円板形状の底部２１と、底部２１の周縁から上方に向かって略円筒状に延出した側部２２と、側部２２の上端に位置する開口端縁から外向きに張り出し、面取りされた縁部２３と、を備えている。
【００１６】
側部２２の内側周面の下方には、内方に向かって突出する突出部２４が形成されている。当該突出部２４によって、底部２１から所定間隔を隔てた位置に開口径がより広がるように構成された段差２５が浴槽本体２に形成されている。この段差２５上に仕切り４が配置されている。
【００１７】
仕切り４は、例えばアクリル板等の透光部材で構成された略円板形状をなすものであって、その外径は段差２５が設けられた側部２２の内径と同等である。この仕切り４は、主面を上下に向けた水平姿勢で、その下面の周縁部２３が段差２５に当接するように、段差２５上に配置されている。このとき、仕切り４と浴槽本体２の段差２５及び仕切り４と側部２２の内側周面には図示しないシール部材等が配置されており、仕切り４と浴槽本体２との間は隙間なく固定される。
【００１８】
ここで、透光部材とは、光をほとんど反射・吸収せずに透過させる透明な部材か、又は光の一部を反射・吸収するとともに、その他の光を反射・吸収せずに透過させる半透明な部材のことである。そのため、仕切り４として用いる部材はアクリル板に限定されたものではなく、例えば、すりガラス等を用いても構わない。
【００１９】
上記の仕切り４によって、浴槽本体２の槽内（内部空間）は、上下２つの空間に仕切られており、仕切り４より鉛直下方に位置する下側空間２ａと、仕切り４より鉛直上方に位置する上側空間２ｂと、が形成されている。
【００２０】
下側空間２ａは浴槽本体２の底部２１、側部２２、及び仕切り４に囲まれた空間であって、この下側空間２ａに発光部品５が配置されている。
【００２１】
発光部品５は、例えば表面実装型ＬＥＤ（発光ダイオード）などの複数の光源５１が長尺で柔軟な帯状体５２の表面に等間隔で配置されたもの（テープＬＥＤ）や、光源５１が実装された複数の基板を直列的に配線接続したもの等が用いられ、本実施形態ではこの帯状の発光部品５が下側空間２ａ全体にランダムに広がって配置されている。発光部品５は、浴槽１の外側に配置された制御装置（図示せず）と電気的に接続されている。なお、本実施形態において用いられる光源５１は、例えばＲＧＢの３つの発光素子を含み、これらが混光して発光するものである。そのため、制御装置において、それぞれの発光素子の強度を調整すれば発光色や明度を変更することができ、発光素子の発光時間を調整すれば、例えば点滅等の間欠発光を行うこともできる。
【００２２】
ここで、浴槽本体２の側部２２において下側空間２ａを形成している部分、即ち底部２１の周縁から仕切り４にかけて延出する部分に、接続孔６と、複数の（本実施形態では３つの）調整孔３と、が設けられている。
【００２３】
接続孔６は、浴槽本体２の側部２２と突出部２４を貫通し、帯状の発光部品５が挿入可能な程度に開口した断面円形状の貫通孔である。この接続孔６によって浴槽本体２の外側と下側空間２ａが連通することとなり、発光部品５を制御装置に電気的に接続するための配線が接続孔６に通される。
【００２４】
調整孔３は、浴槽本体２の側部２２と突出部２４を貫通し、下側空間２ａに配された発光部品５の位置を調節するための棒状器具（不図示）や発光部品５が挿入可能な程度に開口した断面円形状の貫通孔である。この調整孔３によって、浴槽本体２の外側と下側空間２ａが連通することとなる。調整孔３は、孔あけ工具を用いて、焼成後の浴槽本体２の複数個所に形成される。これらの調整孔３は、浴槽本体２の下方側部２２の周方向に等間隔で設けられる。なお、棒状器具は、例えば浴槽本体２の外側から下側空間２ａの中央に届く程度、即ち底部２１の半径よりも若干長い程度の棒状体であり、ユーザーにより浴槽本体２の外側から操作される。
【００２５】
上側空間２ｂは、仕切り４及び浴槽本体２の側部２２で囲まれた空間であって、上向きに開口している。この開口から温水や冷水等（以下、「温水など」という。）が注がれることで、上側空間２ｂは温水など満たされ、湯船としての機能を果たす。なお、上側空間２ｂに満たされた温水などを排出する排水口（不図示）が仕切り４に設けられており、当該排水口から下側空間２ａを通過して底部２１を貫通する排水パイプ（不図示）が槽内に設けられている。また、排水口を閉じるための栓（不図示）が排水口に取り付けられている。
【００２６】
上述のように構成した本実施形態における浴槽１は以下のような格別の効果を奏する。
【００２７】
つまり、本実施形態の浴槽１によれば、浴槽本体２の槽内を仕切る仕切り４が透光部材で構成されているので、上側空間２ｂに温水等を注げば、下側空間２ａに配置された発光部品５から発せられる光が透光部材で構成された仕切り４を透過することとなる。よって、使用者は発光部品５から発する光に照らされた浴槽１に浸かることができ、演出効果を得ることができる。
【００２８】
そして、調整孔３を通じて発光部品５の位置を変更すれば、簡便に演出態様を変更することができる。さらに、発光部品５のメンテナンスを行いたい場合であっても、接続孔６や調整孔３から発光部品５を取り出せば、容易に発光部品５のメンテナンスを行うことができる。
【００２９】
さらに、発光部品５が柔軟な帯状体５２に配された複数の光源５１により構成され、下側空間２ａ全体にランダムに広がって配置されているので、この配置位置を変えるだけで、同じ発光部品５であっても異なる演出態様を得ることができる。
【００３０】
加えて、発光部品５を調整する調整孔３と発光部品５と制御装置とを接続する接続孔６とを別に構成することにより、発光部品５の位置の変更時に接続孔６に挿通される配線に触れてしまい、発光部品５と制御装置との電気的な接続が切れることを防止することができる。
【００３１】
上述のように構成された本実施形態における浴槽１の他の使用例について図４を用いて説明する。
【００３２】
図４に示すように、浴槽１は、下側空間２ａを形成する浴槽本体２下方の側部２２及び底部２１がコンクリート体７に埋設して配置される。このとき、コンクリート体７には調整孔３及び接続孔（不図示）を介して下側空間２ａと連通する縦穴７ａが開設される。使用者はこの縦穴７ａから、調整孔３を介して発光部品５の配置の変更や発光部品５自体の取り換え等を行うことができるとともに、縦穴７ａから、接続孔６を介して発光部品５を制御装置に電気的に接続することができる。加えて、この縦穴７ａの開口端部には、開口を塞ぐ蓋８が設けられている。この蓋８は、浴槽１の周囲に飛び散った水滴などが縦穴７ａに侵入することを防ぐためのものである。すなわち、縦穴７ａおよび蓋８は、発光部品５の配置や配線などを管理するハンドホールとして機能している。
【００３３】
以上、本発明に係る浴槽を実施形態に基づいて説明してきたが、本発明は、上記した形態に限らないことは勿論であり、例えば、以下のような形態で実施されても構わない。
【００３４】
上記実施形態では発光部品５は１つであったが、複数の発光部品５を用いてもよい。また、その光源５１の種類も上述の実施形態に限られたものではなく、単色の発光素子を用いたものや、単体のＬＥＤから構成されるもの等であってもよい。また、ＬＥＤに限らず、蛍光灯や電球等を用いてもよい。
【００３５】
また、上記実施形態では、仕切り４そのものを透光部材で構成したが、仕切り４の周縁部２３をガラス繊維強化プラスチックなどの部材で構成し、その他の部分を透光部材で構成してもよい。また、仕切り４の複数部分を透光部材により構成してもよい。すなわち、仕切り４は、発光部品５からの光を通す透光部を含んでいればよい。
【００３６】
上記実施形態では、複数の調整孔３を浴槽本体２に設けていたが、調整孔３は１つであっても構わない。
【００３７】
上記実施形態では、１つの接続孔６を浴槽本体２に設けていたが、複数の接続孔６を設けても構わない。
【００３８】
また、上記実施形態では調整孔３と接続孔６とが別々に構成されたものであったが、複数の調整孔３の何れか一つを接続孔として用いても構わない。すなわち、調整孔と接続孔とが同一の貫通孔で構成されたものであってもよい。
【００３９】
また、仕切り４の厚みは、入浴可能な人数および温水などを支持できる強度があれば特に限定されない。
【００４０】
また、上記実施形態では突出部２４により形成された段差２５に仕切り４を載置しているが、仕切りを支持する支持構造はこれに限られず、例えば、底部２１から上方に向かって延出した複数の支柱によって支持しても構わない。
【００４１】
加えて、浴槽の形状も上述の構成に限られたものではなく、使用態様に合わせて適宜その形状を変更することができる。また、仕切り４の形状も上述の構成に限られたものではなく、浴槽の形状に合わせて適宜変更することができる。例えば、浴槽本体は、方形板状の底部と、当該底部の周縁部から上方に延出する断面方形の筒状をした側部と、を備えた構成であってもよい。また、仕切り４は方形板状であってもよい。また、浴槽は陶製に限られず、公知のホーロー製、ステンレス製、又はガラス繊維強化プラスチック製の浴槽であっても構わない。
【００４２】
本発明は、その趣旨を逸脱しない範囲で当業者の知識に基づいて種々なる改良、修正、又は変形を加えた態様でも実施できる。また、同一の作用又は効果が生じる範囲内で、何れかの発明特定事項を他の技術に置換した形態で実施しても良い。
【符号の説明】
【００４３】
１  浴槽
２  浴槽本体
２ａ  下側空間
２ｂ  上側空間
３  調整孔
４  仕切り
５  発光部品
６  接続孔
【図１】
2019013594.tif 000003
【図２】
2019013594.tif 000004
【図３】
2019013594.tif 000005
【図４】
2019013594.tif 000006